【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
端末装置であって、
ＰＤＣＣＨまたはｅＰＤＣＣＨで、ＰＤＳＣＨのスケジューリングに用いられる下りリンク制御情報を検出する検出部と、
前記下りリンク制御情報によってスケジュールされたＰＤＳＣＨでトランスポートブロックを受信し、
第１の値を示す情報を含むシステムインフォメーションブロックを受信し、
第２の値を示す情報を、ＰＵＣＣＨに対するアイデンティティの値を示す情報と共に受信し、
ｅＰＤＣＣＨセットに対する第３の値を示す情報を受信する受信部と、
前記ＰＤＣＣＨで前記下りリンク制御情報が検出され、且つ、前記第２の値が設定されていない場合には、少なくとも前記第１の値に基づいてＰＵＣＣＨリソースを決定し、
前記ＰＤＣＣＨで前記下りリンク制御情報が検出され、且つ、前記第２の値が設定されている場合には、少なくとも前記第２の値に基づいて前記ＰＵＣＣＨリソースを決定し、
前記ｅＰＤＣＣＨセットにおける前記ｅＰＤＣＣＨで前記下りリンク制御情報が検出された場合は、前記第２の値が設定されているか否かにかかわらず、前記下りリンク制御情報を検出した前記ｅＰＤＣＣＨセットに対する前記第３の値に少なくとも基づいて前記ＰＵＣＣＨリソースを決定する決定部と、
前記下りリンク制御情報によってスケジュールされた前記ＰＤＳＣＨを介して受信された前記トランスポートブロックに対するＨＡＲＱ−ＡＣＫを前記決定されたＰＵＣＣＨリソースで送信する送信部と、を備える
ことを特徴とする端末装置。
【請求項２】
前記端末装置は、更に、前記ＰＵＣＣＨに対する前記アイデンティティの値が設定されている場合は、前記ＰＵＣＣＨに対する前記アイデンティティの値に基づいて、前記ＰＵＣＣＨと共に送信される参照信号を生成し、
前記ＰＵＣＣＨに対する前記アイデンティティの値が設定されていない場合は、物理レイヤセルアイデンティティに基づいて、前記ＰＵＣＣＨと共に送信される前記参照信号を生成する生成部を備える
ことを特徴とする請求項１に記載の端末装置。
【請求項３】
前記第１の値を示す情報は、複数の移動局装置に対して共通であることを特徴とする請
求項１または2に記載の端末装置。
【請求項４】
基地局装置であって、
ＰＤＣＣＨまたはｅＰＤＣＣＨで、ＰＤＳＣＨのスケジューリングに用いられる下りリンク制御情報を送信し、
前記下りリンク制御情報によってスケジュールされたＰＤＳＣＨでトランスポートブロックを送信し、
第１の値を示す情報を含むシステムインフォメーションブロックを送信し、
第２の値を示す情報を、ＰＵＣＣＨに対するアイデンティティの値を示す情報と共に送信し、
ｅＰＤＣＣＨセットに対する第３の値を示す情報を送信する送信部と、
前記ＰＤＣＣＨで前記下りリンク制御情報が送信され、且つ、前記第２の値を示す情報が送信されていない場合には、少なくとも前記第１の値に基づいてＰＵＣＣＨリソースを決定し、
前記ＰＤＣＣＨで前記下りリンク制御情報が送信され、且つ、前記第２の値を示す情報が送信されている場合には、少なくとも前記第２の値に基づいて前記ＰＵＣＣＨリソースを決定し、
前記ｅＰＤＣＣＨセットにおける前記ｅＰＤＣＣＨで前記下りリンク制御情報が送信された場合は、前記第２の値を示す情報が送信されているか否かにかかわらず、前記下りリンク制御情報を送信した前記ｅＰＤＣＣＨセットに対する前記第３の値に少なくとも基づいて前記ＰＵＣＣＨリソースを決定する決定部と、
前記下りリンク制御情報によってスケジュールされた前記ＰＤＳＣＨを介して送信された前記トランスポートブロックに対するＨＡＲＱ−ＡＣＫを前記決定されたＰＵＣＣＨリソースで受信する受信部と、を備える
ことを特徴とする基地局装置。
【請求項５】
前記受信部は、
前記アイデンティティの値を示す情報が送信されている場合は、前記端末装置が前記アイデンティティの値に基づいて生成した参照信号を受信し、そして、前記参照信号に基づいて前記ＰＵＣＣＨの復調処理を行い、
前記アイデンティティの値を示す情報が送信されていない場合は、前記端末装置が物理レイヤセルアイデンティティの値に基づいて生成した前記参照信号を受信し、そして、前記参照信号に基づいて前記ＰＵＣＣＨの復調処理を行う
ことを特徴とする請求項４に記載の基地局装置。
【請求項６】
前記第１の値を示す情報は、複数の移動局装置に対して共通であることを特徴とする請求項４または５に記載の基地局装置。
【請求項７】
端末装置に用いられる無線通信方法であって、
ＰＤＣＣＨまたはｅＰＤＣＣＨで、ＰＤＳＣＨのスケジューリングに用いられる下りリンク制御情報を検出し、
前記下りリンク制御情報によってスケジュールされたＰＤＳＣＨでトランスポートブロックを受信し、
第１の値を示す情報を含むシステムインフォメーションブロックを受信し、
第２の値を示す情報を、ＰＵＣＣＨに対するアイデンティティの値を示す情報と共に受信し、
ｅＰＤＣＣＨセットに対する第３の値を示す情報を受信し、
前記ＰＤＣＣＨで前記下りリンク制御情報が検出され、且つ、前記第２の値が設定されていない場合には、少なくとも前記第１の値に基づいてＰＵＣＣＨリソースを決定し、
前記ＰＤＣＣＨで前記下りリンク制御情報が検出され、且つ、前記第２の値が設定され
ている場合には、少なくとも前記第２の値に基づいて前記ＰＵＣＣＨリソースを決定し、
前記ｅＰＤＣＣＨセットにおける前記ｅＰＤＣＣＨで前記下りリンク制御情報が検出された場合は、前記第２の値が設定されているか否かにかかわらず、前記下りリンク制御情報を検出した前記ｅＰＤＣＣＨセットに対する前記第３の値に少なくとも基づいて前記ＰＵＣＣＨリソースを決定し、
前記下りリンク制御情報によってスケジュールされた前記ＰＤＳＣＨを介して受信された前記トランスポートブロックに対するＨＡＲＱ−ＡＣＫを前記決定されたＰＵＣＣＨリソースで送信する
ことを特徴とする無線通信方法。
【請求項８】
前記ＰＵＣＣＨに対する前記アイデンティティの値が設定されている場合は、前記ＰＵＣＣＨに対する前記アイデンティティの値に基づいて、前記ＰＵＣＣＨと共に送信される参照信号を生成し、
前記ＰＵＣＣＨに対する前記アイデンティティの値が設定されていない場合は、物理レイヤセルアイデンティティに基づいて、前記ＰＵＣＣＨと共に送信される前記参照信号を生成する
ことを特徴とする請求項７に記載の無線通信方法。
【請求項９】
前記第１の値を示す情報は、複数の移動局装置に対して共通であることを特徴とする請求項７または８に記載の無線通信方法。
【請求項１０】
基地局装置に用いられる無線通信方法であって、
ＰＤＣＣＨまたはｅＰＤＣＣＨで、ＰＤＳＣＨのスケジューリングに用いられる下りリンク制御情報を送信し、
前記下りリンク制御情報によってスケジュールされたＰＤＳＣＨでトランスポートブロックを送信し、
第１の値を示す情報を含むシステムインフォメーションブロックを送信し、
第２の値を示す情報を、ＰＵＣＣＨに対するアイデンティティの値を示す情報と共に送信し、
ｅＰＤＣＣＨセットに対する第３の値を示す情報を送信し、
前記ＰＤＣＣＨで前記下りリンク制御情報が送信され、且つ、前記第２の値を示す情報が送信されていない場合には、少なくとも前記第１の値に基づいてＰＵＣＣＨリソースを決定し、
前記ＰＤＣＣＨで前記下りリンク制御情報が送信され、且つ、前記第２の値を示す情報が送信されている場合には、少なくとも前記第２の値に基づいて前記ＰＵＣＣＨリソースを決定し、
前記ｅＰＤＣＣＨセットにおける前記ｅＰＤＣＣＨで前記下りリンク制御情報が送信された場合は、前記第２の値を示す情報が送信されているか否かにかかわらず、前記下りリンク制御情報を送信した前記ｅＰＤＣＣＨセットに対する前記第３の値に少なくとも基づいて前記ＰＵＣＣＨリソースを決定し、
前記下りリンク制御情報によってスケジュールされた前記ＰＤＳＣＨを介して送信された前記トランスポートブロックに対するＨＡＲＱ−ＡＣＫを前記決定されたＰＵＣＣＨリソースで受信する
ことを特徴とする無線通信方法。
【請求項１１】
前記アイデンティティの値を示す情報が送信されている場合は、前記端末装置が前記アイデンティティの値に基づいて生成した参照信号を受信し、そして、前記参照信号に基づいて前記ＰＵＣＣＨの復調処理を行い、
前記アイデンティティの値を示す情報が送信されていない場合は、前記端末装置が物理レイヤセルアイデンティティの値に基づいて生成した前記参照信号を受信し、そして、前
記参照信号に基づいて前記ＰＵＣＣＨの復調処理を行う
ことを特徴とする請求項１０に記載の無線通信方法。
【請求項１２】
前記第１の値を示す情報は、複数の移動局装置に対して共通であることを特徴とする請求項１０または１１に記載の無線通信方法。
【請求項１３】
端末装置に実装される集積回路であって、
ＰＤＣＣＨまたはｅＰＤＣＣＨで、ＰＤＳＣＨのスケジューリングに用いられる下りリンク制御情報を検出する機能と、
前記下りリンク制御情報によってスケジュールされたＰＤＳＣＨでトランスポートブロックを受信する機能と、
第１の値を示す情報を含むシステムインフォメーションブロックを受信する機能と、
第２の値を示す情報を、ＰＵＣＣＨに対するアイデンティティの値を示す情報と共に受信する機能と、
ｅＰＤＣＣＨセットに対する第３の値を示す情報を受信する機能と、
前記ＰＤＣＣＨで前記下りリンク制御情報が検出され、且つ、前記第２の値が設定されていない場合には、少なくとも前記第１の値に基づいてＰＵＣＣＨリソースを決定する機能と、
前記ＰＤＣＣＨで前記下りリンク制御情報が検出され、且つ、前記第２の値が設定されている場合には、少なくとも前記第２の値に基づいて前記ＰＵＣＣＨリソースを決定する機能と、
前記ｅＰＤＣＣＨセットにおける前記ｅＰＤＣＣＨで前記下りリンク制御情報が検出された場合は、前記第２の値が設定されているか否かにかかわらず、前記下りリンク制御情報を検出した前記ｅＰＤＣＣＨセットに対する前記第３の値に少なくとも基づいて前記ＰＵＣＣＨリソースを決定する機能と、
前記下りリンク制御情報によってスケジュールされた前記ＰＤＳＣＨを介して受信された前記トランスポートブロックに対するＨＡＲＱ−ＡＣＫを前記決定されたＰＵＣＣＨリソースで送信する機能と、を含む一連の機能を前記端末装置に発揮させる
ことを特徴とする集積回路。
【請求項１４】
前記集積回路は、更に、前記ＰＵＣＣＨに対する前記アイデンティティの値が設定されている場合は、前記ＰＵＣＣＨに対する前記アイデンティティの値に基づいて、前記ＰＵＣＣＨと共に送信される参照信号を生成する機能と、
前記ＰＵＣＣＨに対する前記アイデンティティの値が設定されていない場合は、物理レイヤセルアイデンティティに基づいて、前記ＰＵＣＣＨと共に送信される前記参照信号を生成する機能と、を前記端末装置に発揮させる
ことを特徴とする請求項１３に記載の集積回路。
【請求項１５】
前記第１の値を示す情報は、複数の移動局装置に対して共通であることを特徴とする請求項１３または１４に記載の集積回路。